【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
設置環境の異常を検出する状態検出部と、無線信号を送受信する送受信部と、前記状態検出部で設置環境の異常を検出したことを報知する報知手段と、前記送受信部および報知手段を制御する制御部とを有する複数の警報器を備え、
前記複数の警報器のうちの一台を親警報器とし、他の警報器を子警報器として、前記複数の警報器の間で無線信号を送受信し、前記警報器のいずれかの状態検出部が異常を検出したときに全ての警報器で異常を報知する警報システムにおいて、
前記親警報器は、複数の子警報器全ての無線信号の送信範囲が重複する領域に配置され、
前記親警報器の送受信部は、複数の子警報器全てを無線信号の送信範囲内に含み、
前記子警報器の制御部は、前記状態検出部が異常を検出すると、他の全ての警報器の報知手段を駆動させるために、異常の発生を通知する連動信号を、前記送受信部から他の全ての警報器に対して送信させ、
前記親警報器の制御部は、前記子警報器から送信された前記連動信号を受信すると、他の全ての子警報器の報知手段を駆動させるために、連動転送信号を他の全ての子警報器に対して送信させ、
前記連動信号を送信した子警報器の制御部は、前記連動転送信号の送信期間が経過すると、前記連動信号を、前記送受信部から他の全ての警報器に対して再送信させる
ことを特徴とする警報システム。
【請求項２】
前記子警報器は、
ランダムに発生させて全ての子警報器に個別に設定される所定時間であって、前記連動信号を送信した後に前記親警報器からの連動転送信号の受信を試みる転送確認期間を有し、
前記連動信号を送信した子警報器の制御部は、当該転送確認期間内に前記親警報器から送信された前記連動転送信号を受信できない場合には、前記連動転送信号の送信期間の経過を待たずに、再度、前記連動信号を、前記送受信部から他の全ての前記警報器に対して送信させる
ことを特徴とする請求項１に記載の警報システム。
【請求項３】
設置環境の異常を検出する状態検出部と、無線信号を送受信する送受信部と、前記状態検出部で設置環境の異常を検出したことを報知する報知手段と、前記送受信部および報知手段を制御する制御部とを有する複数の警報器を備え、
前記複数の警報器のうちの一台を親警報器とし、他の警報器を子警報器として、前記複数の警報器の間で無線信号を送受信し、前記警報器のいずれかの状態検出部が異常を検出したときに全ての警報器で異常を報知する警報システムにおいて、
前記親警報器は、複数の子警報器全ての無線信号の送信範囲が重複する領域に配置され、
前記親警報器の送受信部は、複数の子警報器全てを無線信号の送信範囲内に含み、
前記子警報器の制御部は、前記状態検出部が異常を検出すると、他の全ての警報器の報知手段を駆動させるために、異常の発生を通知する連動信号を、前記送受信部から他の全ての警報器に対して送信させ、
前記親警報器の制御部は、前記子警報器から送信された前記連動信号を受信すると、他の全ての子警報器の報知手段を駆動させるために、連動転送信号を他の全ての子警報器に対して送信させ、
前記子警報器は、
ランダムに発生させて全ての子警報器に個別に設定される所定時間であって、前記連動信号を送信した後に前記親警報器からの連動転送信号の受信を試みる転送確認期間を有し、
前記連動信号を送信した子警報器の制御部は、当該転送確認期間内に前記親警報器から送信された前記連動転送信号を受信できない場合には、再度、前記連動信号を、前記送受信部から他の全ての前記警報器に対して送信させる
ことを特徴とする警報システム。
【請求項４】
前記転送確認期間は、前記子警報器のアドレス又は製造番号に基づいてランダムに発生させた所定時間である
ことを特徴とする請求項２又は請求項３に記載の警報システム。
【請求項５】
前記連動転送信号を送信した親警報器の制御部は、前記連動信号の再送信期間が終了してから、前記連動転送信号を、前記送受信部から他の全ての子警報器に対して再送信させる
ことを特徴とする請求項１〜請求項４のいずれか一項に記載の警報システム。
【請求項６】
前記親警報器の制御部は、前記状態検出部が異常を検出すると、他の全ての子警報器の報知手段を駆動させるために、異常の発生を通知する連動信号を、前記送受信部から他の全ての子警報器に対して送信させ、
前記連動信号の送信が終了し、所定時間の休止期間が経過した後、前記連動信号を、前記送受信部から他の全ての子警報器に対して再送信させ、
前記休止期間は、前記転送確認期間よりも短い所定時間に設定されている
ことを特徴とする請求項１〜請求項５のいずれか一項に記載の警報システム。
【請求項７】
前記警報器の制御部は、前記無線信号を前記送受信部から送信開始前に、前記送受信部の受信機能を起動してキャリア検知を行う所定時間のキャリアセンス期間を設け、当該キャリアセンス期間中にキャリアが検知されれば、前記無線信号を送信しない
ことを特徴とする請求項１〜６のいずれか一項に記載の警報システム。
【請求項８】
前記連動信号は、信号を繰り返し送信する送信期間を含む所定の送信パターンの信号であり、
前記所定の送信パターンは、前記送信期間と、前記連動信号の送信を休止させる送信休止期間とを、交互に繰り返し実行するものである
ことを特徴とする請求項１〜請求項７のいずれか一項に記載の警報システム。
【請求項９】
前記連動信号および連動転送信号の再送信は、複数回行われる
ことを特徴とする請求項１〜請求項８のいずれか一項に記載の警報システム。
【手続補正２】
【補正対象書類名】明細書
【補正対象項目名】０００７
【補正方法】変更
【補正の内容】
【０００７】
この発明は、設置環境の異常を検出する状態検出部と、無線信号を送受信する送受信部と、前記状態検出部で設置環境の異常を検出したことを報知する報知手段と、前記送受信部および報知手段を制御する制御部とを有する複数の警報器を備え、前記複数の警報器のうちの一台を親警報器とし、他の警報器を子警報器として、前記複数の警報器の間で無線信号を送受信し、前記警報器のいずれかの状態検出部が異常を検出したときに全ての警報器で異常を報知する警報システムにおいて、前記親警報器は、複数の子警報器全ての無線信号の送信範囲が重複する領域に配置され、前記親警報器の送受信部は、複数の子警報器全てを無線信号の送信範囲内に含み、前記子警報器の制御部は、前記状態検出部が異常を検出すると、他の全ての警報器の報知手段を駆動させるために、異常の発生を通知する連動信号を、前記送受信部から他の全ての警報器に対して送信させ、前記親警報器の制御部は、前記子警報器から送信された前記連動信号を受信すると、他の全ての子警報器の報知手段を駆動させるために、連動転送信号を他の全ての子警報器に対して送信させ、前記連動信号を送信した子警報器の制御部は、前記連動転送信号の送信期間が経過すると、前記連動信号を、前記送受信部から他の全ての警報器に対して再送信させることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
この発明は、設置環境の異常を検出する状態検出部と、無線信号を送受信する送受信部と、前記状態検出部で設置環境の異常を検出したことを報知する報知手段と、前記送受信部および報知手段を制御する制御部とを有する複数の警報器を備え、前記複数の警報器のうちの一台を親警報器とし、他の警報器を子警報器として、前記複数の警報器の間で無線信号を送受信し、前記警報器のいずれかの状態検出部が異常を検出したときに全ての警報器で異常を報知する警報システムにおいて、前記親警報器は、複数の子警報器全ての無線信号の送信範囲が重複する領域に配置され、前記親警報器の送受信部は、複数の子警報器全てを無線信号の送信範囲内に含み、前記子警報器の制御部は、前記状態検出部が異常を検出すると、他の全ての警報器の報知手段を駆動させるために、異常の発生を通知する連動信号を、前記送受信部から他の全ての警報器に対して送信させ、前記親警報器の制御部は、前記子警報器から送信された前記連動信号を受信すると、他の全ての子警報器の報知手段を駆動させるために、連動転送信号を他の全ての子警報器に対して送信させ、前記連動信号を送信した子警報器の制御部は、前記連動転送信号の送信期間が経過すると、前記連動信号を、前記送受信部から他の全ての警報器に対して再送信させるものであるので、他の全ての警報器は、交互に送信される子警報器からの連動信号または親警報器からの連動転送信号を受信することにより、報知手段を駆動することができ、親警報器と子警報器とを有する警報システムにおいて、システム全体で異常を報知することができる。  
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】